(57)【要約】      （修正有）【課題】電子部品が必要とする電力を有効に提供し、更にリモコンと相互に掛合して電気連接し、太陽電池でリモコン動作に必要な電力を継続して提供するリモコン及びその太陽電池給電部材を提供する。【解決手段】少なくとも筐体１１、太陽電池モジュール１２、回路基板１３及び透光蓋板１４を含む。該筐体の一側部は、納置槽１１１を凹設し，別一側部は給電コネクタ１１２を凸設する。そのうち該給電コネクタは第一電極及び第二電極を設置する。該太陽電池モジュールは該納置槽内に装着し，該ソーラ発電モジュールは太陽光パネル１２１、太陽電池１２２と蓄電池１２３を含む。そのうち該太陽光パネルと該蓄電池は該太陽電池にそれぞれ電気連接する。該回路基板は該納置槽内に設置し、該回路基板は該蓄電池及び該第一電極と該第二電極をそれぞれ電気連接する。更に該透光蓋板は該納置槽内に設置し、該太陽光パネル上方に蓋設する。【選択図】図１
0003221737.tif 000002
【実用新案登録請求の範囲】
【請求項１】
太陽電池給電部材において、そのうち、少なくとも
その一側に納置槽が凹設され，反対側には給電コネクタが凸設され、そのうち該給電コネクタは第一電極及び第二電極を設置する筐体と、
該納置槽内に装着し，太陽光パネル、太陽電池と蓄電池を含み，そのうち該太陽光パネルと該蓄電池はそれぞれ該太陽電池を電気連接する太陽電池モジュールと、
該納置槽内に装着し，該蓄電池及び該第一電極と該第二電極をそれぞれ電気連接する回路基板と
該納置槽内に設置して該太陽光パネル上方で蓋設する透光蓋板を含むことを特徴とする太陽電池給電部材。
【請求項２】
前記給電コネクタ内は、該納置槽と連通する電池納置槽を設置し，該電池納置槽内には該太陽電池と該蓄電池を設置し，更に該太陽電池は該太陽光パネルを電気連接して該納置槽内に組立設置することを特徴とする請求項１記載の太陽電池給電部材。
【請求項３】
前記給電コネクタの形状は長方体、半円柱体もしくは円柱体であり、もしくは該給電コネクタの形状は少なくとも二個の相互に繋がった半円柱体を含むことを特徴とする請求項１記載の太陽電池給電部材。
【請求項４】
前記筐体は更に充電差込槽を設置し，且つ該充電差込槽は該蓄電池に電気連接することを特徴とする請求項３記載の太陽電池給電部材。
【請求項５】
前記筐体の該納置槽の別一端部は更に第一結合部材を対応設置し ，そのうち該第一結合部材は滑動レール、滑動槽、掛合もしくは掛合槽のうちの一形態でペア設置することを特徴とする請求項３記載の太陽電池給電部材。
【請求項６】
リモコンにおいて、少なくとも
請求項１記載の太陽電池給電部材と、
凹槽及び該凹槽内にそれぞれ組立設置する第三電極と第四電極を含み、そのうち該太陽電池給電部材の該給電コネクタは該凹槽内に組立設置し，且つ該第三電極は該第一電極を電気連接し，また該第四電極は該第二電極を電気連結するリモコンモジュールを含むことを特徴とするリモコン。
【請求項７】
前記筐体に対応する該納置槽の別一端部は、更に第一結合部材を対応設置し、且つ該第一結合部材は滑動レール、滑動槽、掛合もしくは掛合槽のうちの一形態でペア設置することを特徴とする請求項６記載のリモコン。
【請求項８】
前記リモコンモジュールは、更に第二結合部材を設置することを特徴とする請求項７記載のリモコン。
【請求項９】
前記第二結合部材は、該第一結合部材と対応して掛合し且つ滑動レール、滑動槽、掛合もしくは掛合槽のうちの一形態でペア設置することを特徴とする請求項８記載のリモコン。
【請求項１０】
前記第二電極は、スプリングであり，該第三電極はスプリングであることを特徴とする請求項６記載のリモコン及びその太陽電池給電部材。
【考案の詳細な説明】
【技術分野】
【０００１】
本考案は、リモコン及びその太陽電池給電部材に関するもので、特に太陽光を吸収して必要な電力を提供する太陽電池給電部材及び太陽電池給電部材の着脱で電気連接するリモコンに係る。
【背景技術】
【０００２】
日常生活における電気製品、例としてオーデオビデオ機器、テレビ、音響もしくは空調等電子部品はすべてリモコンで機能制御している。また従来のリモコンはほとんどが乾電池、アルカリ電池もしくは水銀電池等を電力源にしているが、これら電池は定期的に交換しなければならないだけでなく、交換時の不便の他に電池の液漏れの問題が発生することがあり、更に電池の廃棄は環境を汚染することになる。
【０００３】
上述の問題を改善するため、一部はメーカーがアモルファスシリコン太陽電池に着手し、室内の照明もしくは太陽光等を通じてリモコンに必要な電力を提供している。 
【考案の概要】
【考案が解決しようとする課題】
【０００４】
しかしながら、アモルファスシリコン太陽電池を使用したリモコンには以下の欠点が存在する。
【０００５】
一に、アモルファスシリコン太陽電池は使用効率が低く、寿命が短く、且つ発電効率が徐々に衰えるため、スムーズに使用できなくなる点である。
【０００６】
二に、アモルファスシリコン太陽電池は蓄電量が低いため、継続して光線をアモルファスシリコン太陽電池に供給して発電する。さもないと、電気が尽きると、リモコン制御がメモリを喪失し、長期的にリモコンの故障問題を起こす点である。
【０００７】
公知のアモルファスシリコン太陽電池の太陽光パネルは、殆どがガラス材で製造している。リモコンをうっかり落としてしまった場合、アモルファスシリコン太陽電池が壊れてしまうことがある。
【０００８】
そのため、新しいハード設計を考案することによって、健康且つ継続的に電気供給する太陽電池を提供してリモコンに使用させる必要があり、それは太陽電池等関連産業の開発者と関連研究者が継続して努力し克服、解決する課題である。
【課題を解決するための手段】
【０００９】
本考案は、太陽を吸収して必要な電力を提供する太陽電池給電部材及び太陽電池給電部材と相互に取外しもしくは結合し更に電気連接するリモコンである。本考案の太陽電池給電部材は、主に筐体、太陽電池モジュール、回路基板と透光蓋板を含むことを最も主要な特徴とする。
【考案の効果】
【００１０】
本考案のリモコン及びその太陽電池給電部材は、現在の製品や技術と比較して以下の利点がある。
【００１１】
一に、本考案の太陽電池給電部材は、主に太陽電池が吸收した太陽光を電気に転換するハード設計であり、少なくとも一電子部品が必要とする電力を有効に提供し、更にリモコンと相互に掛合して電気連接し、リモコン動作に必要な電力等を提供できる途切れない太陽電池を確実に達成する。
【００１２】
二に、本考案のリモコン主要部と太陽電池給電部材は、相互に取外し、もしくは結合して電気連接する。主に太陽電池給電部材の給電コネクタの形状デザインが従来のリモコンの電池の形状を模造することによって、給電コネクタ各種各様の各式各樣的リモコン内に設置できることで従来リモコン電池に取って代わり、リモコンと太陽電池給電部材の適用性と便利性を向上させる。
【図面の簡単な説明】
【００１３】
【図１】本考案の太陽電池給電部材の良好な第一実施例の構造分解指示図である。
【図２】本考案の太陽電池給電部材の良好な第一実施例の構造外観俯瞰図である。
【図３】本考案の太陽電池給電部材の良好な第一実施例の構造外観仰視図である。
【図４】本考案の太陽電池給電部材の良好な第一実施例の構造外観断面図である。
【図５】本考案の太陽電池給電部材の良好な第一実施例の構造動作ブロック図である。
【図６】本考案の太陽電池給電部材の良好な第二実施例の構造外観仰視図である。
【図７】本考案のリモコンの良好な第一実施例の構造外観断面図である。
【図８】本考案のリモコンの良好な第一実施例の構造外観分解指示図である。
【図９】本考案のリモコンの良好な第一実施例の構造外観組立透視図である。
【図１０】本考案のリモコンの良好な第一実施例の構造外観仰視図である。
【図１１】本考案のリモコンの良好な第二実施例の構造外観断面図である。
【図１２】本考案のリモコンの良好な第三実施例の構造外観断面図である。
【図１３】本考案のリモコンの良好な第一実施例の構造動作指示図一である。
【図１４】本考案のリモコンの良好な第一実施例の構造動作指示図二である。
【考案を実施するための形態】
【００１４】
考案者はこれらを鑑み、豊かな専門知識と長年の実務経験をもとに、リモコン及びその太陽電池給電部材の短所を改善した。
【００１５】
それは、太陽電池モジュールと回路基板を設置することによって、吸収した太陽光もしくは室内照明を電力に転換し、太陽電池給電部材内に保存する。更に太陽電池が吸収した太陽光エネルギーを電力に転換する。USB「ユニバーサルシリアスバス，Universal Serial Bus」槽孔によって、少なくとも一電子部品が必要な電力を提供できる太陽電池給電部材を提供することを本考案の目的とする。
【００１６】
更にリモコンと結合して電気連接し、継続した給電を確実に達成し、リモコン動作に必要な電力を提供する太陽電池給電部材を提供することを本考案の次の目的とする。
【００１７】
太陽電池給電部材と相互に取外し、もしくは結合して更に電気連接するリモコンにおいて、主に太陽電池給電部材の給電コネクタの形状デザインが従来のリモコンの電池の形状を模造することによって、給電コネクタを各種各様のリモコン内に取り付けられることで従来のリモコンの電池に取って代わることができ、リモコンと太陽電池給電部材の適用性と便利性を向上させるリモコンを提供することを更に別の目的とする。
【００１８】
本考案の目的に基づき、太陽電池給電部材を提供する。それは少なくとも筐体、太陽電池モジュール、回路基板及び透光蓋板を含む。該筐体の一側部は、納置槽を凹設し，別一側部は給電コネクタを凸設する。そのうち該給電コネクタは第一電極及び第二電極を設置する。該太陽電池モジュールは該納置槽内に装着し，該ソーラ発電モジュールは太陽光パネル、太陽電池と蓄電池を含む。そのうち該太陽光パネルと該蓄電池は該太陽電池にそれぞれ電気連接する。該回路基板は該納置槽内に設置し、該回路基板は該蓄電池及び該第一電極と該第二電極をそれぞれ電気連接する。更に該透光蓋板は該納置槽内に設置し、該太陽光パネル上方に蓋設する。
【００１９】
本考案の一実施例において，そのうち該給電コネクタ内は該納置槽と連通する電池納置槽を凹設し，該電池納置槽内には該太陽電池と該蓄電池を設置し，更に該太陽電池は該太陽光パネルを電気連接して該納置槽内に組立設置する。
【００２０】
本考案の一実施例において，そのうち、該給電コネクタの形状は長方体、半円柱体もしくは円柱体であり、もしくは該給電コネクタの形状は少なくとも二個の相互に繋がった半円柱体を含む。
【００２１】
本考案の一実施例において，そのうち該筐体は更に充電差込槽を形成し、且つ該充電差込槽は該蓄電池に電気連接する。
【００２２】
本考案の一実施例において，そのうち該充電差込槽はUSB槽孔とする。
【００２３】
本考案の一実施例において，該筐体の該納置槽の別一端部は更に第一結合部材に対応設置する。
【００２４】
本考案の一実施例において，該第一結合部材係は滑動レール、滑動槽、掛合もしくは掛合槽等のうちの一形態でペア設置する。
【００２５】
本考案の一実施例において，該第一結合部材はリモコンモジュールと結合する。
【００２６】
本考案の目的に基づき、本考案者はリモコンを提供する。それは少なくとも上述の太陽電池給電部及びリモコンモジュールを含む。リモコンモジュールは凹槽、更に凹槽内にそれぞれ設置した第三電極と第四電極を含む。そのうち太陽電池給電部材の給電コネクタは凹槽内に設置し、且つ第三電極は第一電極を電気連接し、また第四電極は第二電極に電気連接する。
【００２７】
本考案の一実施例において，そのうち該筐体の該納置槽の別一端部には更に第一結合部材を設置する。且つ該第一結合部材は滑動レール、滑動槽、掛合もしくは掛合槽のうちの一形態でペア設置する。
【００２８】
本考案の一実施例において，該リモコンモジュールは第二結合部材を設置する。
【００２９】
本考案の一実施例において，該第二結合部材は該第一結合部材と対応して掛合し且つ滑動レール、滑動槽、掛合もしくは掛合槽等のうちの一形態でペア設置する。
【００３０】
本考案の一実施例において，該第三電極はスプリングであり，該第二電極もスプリングである。
【００３１】
本考案のリモコン及びその太陽電池給電部材は主に太陽電池が吸收した太陽光を電気に転換するハード設計であり、少なくとも一電子部品が必要とする電力を有効に提供し、更にリモコンと取外し、もしくは結合して電気連接し、継続した給電を確実に達成し、リモコン動作に必要な電力を提供する。
（太陽電池給電部材の実施例１）
【００３２】
本考案の技術的特徴、内容と長所及びその達成する効果を明らかにするため、本考案の図式と共に実施例を挙げて以下に説明する。そのうち使用する図式は本考案を説明するためのものであり、本考案実施後の真実比例と配置とは限らない。故に図式及び実施例は本考案の請求範囲を制限するものではない。
【００３３】
先ず、図１から図４に示すのは、本考案太陽電池給電部材の良好な実施例の構造分解指示図、構造外観俯瞰図、構造外観仰視図及び構造外観断面図である。そのうち本考案の太陽電池給電部材１は、少なくとも一筐体１１、太陽電池モジュール１２、回路基板１３，及び透光蓋板１４。を含む。
【００３４】
そのうち，該筐体１１は、その一側に納置槽１１１が凹設され，反対側には給電コネクタが凸設される。そのうち該給電コネクタ１１２は第一電極１１２１及び第二電極１１２２を設置する。太陽電池モジュール１２は該納置槽１１１内に装着し，該太陽電池モジュール１２は太陽光パネル１２１、太陽電池１２２と蓄電池１２３を含む。そのうち該太陽光パネル１２１と該蓄電池１２３はそれぞれ該太陽電池１２２を電気連接する。回路基板１３は該納置槽１１１内に装着し，該回路基板１３は該蓄電池１２３及び該第一電極１１２１と該第二電極１１２２をそれぞれ電気連接する。更に透光蓋板は該納置槽１１１内に装着して該太陽光パネル１２１上方で蓋設する。該給電コネクタ１１２の形状は長方体、半円柱体もしくは円柱体であり、もしくは該給電コネクタの形状は少なくとも二個の相互に繋がった半円柱体を含む。そのうち該筐体１１は更に少なくとも一充電差込槽１１３を設置し，且つ該充電差込槽１１３は該蓄電池１２３に電気連接し，それをリモコン２と結合して電気連接する。そして該リモコン２動作に必要な電力を継続して供給し提供することによって，USB槽孔を通じて少なくとも一電子部品４が必要な電力を提供するという長所を有する。
【００３５】
本考案の良好な実施例において、そのうち該給電コネクタ１１２内には該納置槽１１１と連通する電池納置槽１１２３を成形する。該電池納置槽１１２３内には該太陽電池１２２と該蓄電池１２３を設置し，更に該太陽電池１２２は該太陽光パネル１２１を電気連接して該納置槽１１１内に組立設置する。そのうち該回路基板１３は該蓄電池１２３の電力を制御保存して該第一電極１１２１と該第二電極１１２２から出力する。この他、該筐体１１の該充電差込槽１１３はUSB槽孔であり，該充電差込槽１１３にUSBを対応させ、該充電差込槽１１３内に挿入し外部電子部品（図未提示）の充電もしくは電力を使用する。
【００３６】
本考案の一実施例において，該太陽光パネル１２１と該太陽電池１２２が０.２μm〜０.４μm波長の太陽光を吸収する時，太陽光を直接電力に転換し，該蓄電池１２３の中に保存する。その他，該太陽光パネル１２１の光電転換効率を考慮し，該太陽光パネル１２１は太陽電池モジュールもしくはフレキシブル太陽電池モジュール等のうちの一種を選択する。
【００３７】
その他，該透光蓋板１４は該納置槽１１１内に装着して該太陽光パネル１２１上方に蓋設する他に、該筐体１１の該納置槽１１１上方に設置してもよく、該太陽光パネル１２１と該筐体１１を切り揃えることで該透光蓋板１４が該太陽光パネル１２１を保護し、落とした時に該太陽光パネル１２１がぶつけたり、外力に押されて破壊されるのを防ぎ、更に本考案の太陽電池給電部材１の使用寿命を延ばす。
【００３８】
更に図５に示すのは、本考案太陽電池給電部材の良好な実施例の構造動作ブロック図である。そのうち該太陽電池モジュール１２の太陽光パネル１２１と該太陽電池１２２が０.２μm〜０.４μm波長の太陽光を吸収した時，太陽光を直接電力に転換し，該蓄電池１２３の中に保存する，また該回路基板１３の制御によって，該蓄電池１２３に保存した電力を該第一電極１１２１と該第二電極１１２２から必要とする電子部品４へ出力する。
（太陽電池給電部材の実施例２）
【００３９】
その他，図６に示すのは、本考案の太陽電池給電部材の良好な第二実施例の構造外観仰視図である。そのうち該筐体１１の該納置槽１１１に対応する別一端部には、更に少なくとも一第一結合部材１１４を対応設置し、第一結合部材１１４は滑動レール、滑動槽、掛合もしくは掛合槽等のうちの一形態でペア設置する。本考案の一実施例において該第一結合部材１１４は対応設置した掛合形式とし、電子部品（図未提示）を掛合する。そのうち該電子部品は図７のようなリモコンモジュール２１に限定しない。本考案の太陽電池給電部材１は該リモコンモジュール２１が必要とする電力を提供する。
（リモコンの実施例１）
【００４０】
その他，図７から図１０に示すのは、本考案リモコンの良好な第一実施例の構造外観断面図、構造外観分解指示図、構造外観組立透視図及び構造外観仰視図である。そのうち本考案のリモコン２は上述のような少なくとも一太陽電池給電部材１及び一リモコンモジュール２１を含む。
【００４１】
該リモコンモジュール２１は凹槽２１１及び該凹槽２１１内にそれぞれ設置する第三電極２１２と第四電極２１３を含む。そのうち該太陽電池給電部材１の給電コネクタ１１２は該凹槽２１１内に組立設置し，且つ該第三電極２１２は該第一電極１１２１を電気連接し，該第四電極２１３は該第二電極１１２２を電気連結する，そのうち該第一電極１１２１と該第三電極２１２は正極であり、該第二電極１１２２と該第四電極２１３は負極である。そのうち該第三電極２１２はスプリングであり（図未提示），該第三電極２１２は該第一電極１１２１を電気連接し，該第三電極２１２のスプリング形態によって，該第一電極１１２１としっかり固定するだけでなく、同時に良好で安定した電気連結を達成する。その他、該第二電極１１２２はスプリングであり（図未提示）、該第四電極２１３は該第二電極１１２２を電気連結する。該第二電極１１２２のスプリング形態によって、該第四電極２１３としっかり固定するだけでなく、同時に良好で安定した電気連結を達成する。その他，該リモコンモジュール２１は更に少なくとも一第二結合部材２１４を設置し、そのうち該第二結合部材２１４は該第一結合部材１１４と対応して掛合し且つ滑動レール、滑動槽、掛合もしくは掛合槽等のうちの一形態でペア設置する。本考案の一実施例において，該第一結合部材１１４は掛合の形態であり、また該第二結合部材２１４は該第一結合部材１１４と掛合する掛合槽形態である。該リモコンモジュール２１は掛合槽形態の該第二結合部材２１４によって掛合形態の該第一結合部材１１４に掛合し該太陽電池給電部材１と結合する。
【００４２】
更に該太陽電池給電部材１は該凹槽２１１内に組立設置し，且つ該第一結合部材１１４と該第二結合部材２１４を対応掛合することで、該第三電極２１２で該第一電極１１２１を電気連結し、また該第四電極２１３は該第二電極１１２２を電気連結する。該太陽電池モジュール１２の太陽光パネル１２１と該太陽電池１２２が０.２μm〜０.４μm波長の太陽光を吸収した時，太陽光を直接電力に転換し，該蓄電池１２３の中に保存する。また該回路基板１３の制御によって，該蓄電池１２３に保存した電力を該第一電極１１２１と該第二電極１１２２から該第三電極２１２と該第四電極２１３へそれぞれ出力し，該リモコンモジュール２１動作時に必要な電力を提供する。
【００４３】
図９と図１０に示すとおり、そのうち，該太陽電池給電部材１は該リモコンモジュール２１の該凹槽２１１内に組立設置し，該太陽電池給電部材１の該筐体１１と該リモコンモジュール２１の外表面を揃えて設置することで図１０に示すように該リモコン２全体が良好な結合と使用を達成する。その他，本考案の別の実施例において、該太陽電池給電部材１は該リモコンモジュール２１の該凹槽２１１内に組立設置し，該太陽電池給電部材１の該筐体１１を該リモコンモジュール２１の外表面に突出して設置し，図９に示すように該リモコン２全体が筐体１１によって良好な支持を達成する。
（リモコンの実施例２及び３）
【００４４】
その他，図１１と図１２に示すのは、本考案リモコンの良好な第二実施例の構造外観断面図及び第三実施例の構造外観断面図である。そのうち本考案の第二実施例において、該第一結合部材１１４は滑動槽の形態である。該第二結合部材２１４は該第一結合部材１１４と掛合する滑動レールの形態である。該リモコンモジュール２１は滑動レール形態の該第二結合部材２１４によって滑動槽形態の該第一結合部材１１４に対応掛合して該太陽電池給電部材１と結合する。本考案の第三実施例において、該第一結合部材１１４は滑動レールの形態であり、該第二結合部材２１４は該第一結合部材１１４と対応して掛合する滑動槽形態である。該リモコンモジュール２１は滑動槽形態の該第二結合部材２１４によって滑動レール形態の該第一結合部材１１４に対応掛合して該太陽電池給電部材１と結合する。
（リモコンの構造動作指示の実施例１）
【００４５】
更に図１３と図１４に示すのは、本考案リモコンの良好な第一実施例の構造動作指示図一及び構造動作指示図二である。そのうち該太陽電池給電部材１の筐体１１は少なくとも一充電差込槽１１３を設置し，該充電差込槽１１３はUSB槽孔である。そのうち該充電差込槽１１３はUSBを電源コンセント３内に挿入して電力を取り込み、該太陽電池給電部材１に充電するか、もしくは該USB槽孔を電子部品４の充電とする。そのうち該電子部品４は例として携帯電話もしくはタブレット端末であるが、それに制限されない。
【００４６】
上述のとおり、本考案のリモコン及びその太陽電池給電部材の良好な実施例によって、予定の使用効果を達成し、且つ本考案は特許申請前であり、特許法の規定と要求に符合するため、規定に基づき申請する。
【００４７】
しかし、上述の図式や説明は、本考案の良好な実施例に過ぎず、それは本考案の請求範囲を制限するものではない。当該範囲に習熟した者にとって、本考案の特徴範囲に基づいたその他の同効果の変化もしくは修飾はすべて本考案の請求範囲に属するものとする。
【符号の説明】
【００４８】
１            太陽電池給電部材
１１          筐体
１１１        納置槽
１１２        給電コネクタ
１１２１            第一電極
１１２２            第二電極
１１２３            電池納置槽
１１３        充電差込槽
１１４        第一結合部材
１２          太陽電池モジュール
１２１        太陽光パネル
１２２        太陽電池
１２３        蓄電池
１３          回路基板
１４          透光蓋板
２            リモコン
２１          リモコンモジュール
２１１        凹槽
２１２        第三電極
２１３        第四電極
２１４        第二結合部材
３            電源コンセント
４            電子部品
【図１】
0003221737.tif 000003
【図２】
0003221737.tif 000004
【図３】
0003221737.tif 000005
【図４】
0003221737.tif 000006
【図５】
0003221737.tif 000007
【図６】
0003221737.tif 000008
【図７】
0003221737.tif 000009
【図８】
0003221737.tif 000010
【図９】
0003221737.tif 000011
【図１０】
0003221737.tif 000012
【図１１】
0003221737.tif 000013
【図１２】
0003221737.tif 000014
【図１３】
0003221737.tif 000015
【図１４】
0003221737.tif 000016